(57)【特許請求の範囲】
【請求項１】
移動局が、無線基地局との間で、搬送波周波数が異なる複数の下りリンクキャリア及び複数の上りリンクキャリアを用いた通信を行う移動通信方法であって、
前記移動局が、第１下りリンクキャリアにおける物理下りリンク制御チャネルを介して、該移動局に対して所定上りリンクキャリアにおける上りリンクデータ信号の送信を許可するスケジューリング信号を受信する工程Ａと、
前記所定上りリンクキャリアの送信電力が、第２下りリンクキャリアから推定されるパスロスに基づいて制御されている場合、該第２下りリンクキャリアが、非アクティブ状態に設定されると、前記移動局が、前記スケジューリング信号を無視する工程Ｂとを有することを特徴とする移動通信方法。
【請求項２】
前記工程Ａにおいて、前記移動局は、前記スケジューリング信号と共に、前記所定上りリンクキャリアを指示するキャリア指示子を受信することを特徴とする請求項１に記載の移動通信方法。
【請求項３】
前記無線基地局は、前記移動局に対して、報知情報によって、前記所定上りリンクキャリアと前記第１下りリンクキャリアとを対応付ける情報を通知する工程を有することを特徴とする請求項１に記載の移動通信方法。
【請求項４】
無線基地局との間で、搬送波周波数が異なる複数の下りリンクキャリア及び複数の上りリンクキャリアを用いた通信を行うことができるように構成されている移動局であって、
第１下りリンクキャリアにおける物理下りリンク制御チャネルを介して、前記移動局に対して所定上りリンクキャリアにおける上りリンクデータ信号の送信を許可するスケジューリング信号を受信するように構成されている受信部を具備し、
前記所定上りリンクキャリアの送信電力が、第２下りリンクキャリアから推定されるパスロスに基づいて制御されている場合、該第２下りリンクキャリアが、非アクティブ状態に設定されると、前記受信部は、前記スケジューリング信号を無視するように構成されていることを特徴とする移動局。
【発明の詳細な説明】
【技術分野】
【０００１】
本発明は、移動通信方法及び移動局に関する。
【背景技術】
【０００２】
ＬＴＥ-Ａｄｖａｎｃｅｄ方式では、移動局ＵＥが、無線基地局ｅＮＢとの間で、搬送周波数の異なる複数のＤＬ  ＣＣ（Ｄｏｗｎｌｉｎｋ  Ｃｏｍｐｏｎｅｎｔ  Ｃａｒｒｉｅｒ）及び複数のＵＬ  ＣＣ（Ｕｐｌｉｎｋ  Ｃｏｍｐｏｎｅｎｔ  Ｃａｒｒｉｅｒ）を用いてＣＡ（Ｃａｒｒｉｅｒ  Ａｇｇｒｉｇａｔｉｏｎ）通信を行うことができるように構成されている。
【０００３】
図７に示すように、ＬＴＥ-Ａｄｖａｎｃｅｄ方式では、ＣＡ通信で用いられているＣＣの各々について、アクティブ（Ａｃｔｉｖｅ）状態或いは非アクティブ（Ｄｅａｃｔｉｖｅ）状態に設定することができる。
【０００４】
また、ＬＴＥ-Ａｄｖａｎｃｅｄ方式では、移動局ＵＥは、所定のＤＬ  ＣＣから推定されるパスロス（Ｐａｔｈｌｏｓｓ）に基づいて、ＰＵＳＣＨ（Ｐｈｙｓｉｃａｌ  Ｕｐｌｉｎｋ  Ｓｈａｒｅｄ  Ｃｈａｎｎｅｌ、上りリンク共有チャネル）における送信電力や、ＰＵＣＣＨ（Ｐｈｙｓｉｃａｌ  Ｕｐｌｉｎｋ  Ｃｏｎｔｒｏｌ  Ｃｈａｎｎｅｌ、上りリンク制御チャネル）における送信電力や、ＳＲＳ（Ｓｏｕｎｄｉｎｇ  Ｒｅｆｅｒｅｎｃｅ  Ｓｉｇｎａｌ）の送信電力や、ＰＲＡＣＨ（Ｐｈｙｓｉｃａｌ  Ｒａｎｄｏｍ  Ａｃｃｅｓｓ  Ｃｈａｎｎｅｌ、物理ランダムアクセスチャネル）における送信電力等を制御するように構成されている。
【０００５】
ここで、移動局ＵＥは、所定のＤＬ  ＣＣにおいて、無線基地局ｅＮＢにおける下りリンク共通パイロット信号（ｃｅｌｌ-ｓｐｅｃｉｆｉｃ  ｒｅｆｅｒｅｎｃｅ  ｓｉｇｎａｌ）の送信電力（Ｒｅｓｏｕｒｃｅ  Ｅｌｅｍｅｎｔ単位）と、移動局ＵＥにおける下りリンク共通パイロット信号の受信電力（Ｒｅｓｏｕｒｃｅ  Ｅｌｅｍｅｎｔ単位）との差によって、パスロスを算出するように構成されている。
【０００６】
なお、無線基地局ｅＮＢにおける下りリンク共通パイロット信号の送信電力は、無線基地局ｅＮＢによって報知されている。
【０００７】
また、各ＵＬ  ＣＣでの送信電力を制御するために用いるパスロスを、どのＤＬ  ＣＣから算出すべきかについては、無線基地局ｅＮＢから移動局ＵＥに対して通知することが検討されている。
【先行技術文献】
【非特許文献】
【０００８】
【非特許文献１】３ＧＰＰ  ＴＳ３６.１３３
【非特許文献２】３ＧＰＰ  ＴＳ３６.３２１
【発明の概要】
【発明が解決しようとする課題】
【０００９】
しかしながら、出願人は、上述のＬＴＥ-Ａｄｖａｎｃｅｄ方式において、以下のような問題点を発見した。
【００１０】
ＬＴＥ-Ａｄｖａｎｃｅｄ方式では、移動局ＵＥは、非アクティブ状態のＤＬ  ＣＣのモニタリングについては頻繁に行わないため、かかるＤＬ  ＣＣにおけるパスロスの推定精度を担保することができない。
【００１１】
したがって、かかるパスロスに基づくＵＬ  ＣＣの送信電力制御の精度についても担保することができず、かかるＵＬ  ＣＣにおける上りリンク信号の送信は、余分な干渉要因となる可能性があるという問題点があった。
【００１２】
そこで、本発明は、上述の課題に鑑みてなされたものであり、ＣＡ通信における干渉を低減することができる移動通信方法及び移動局を提供することを目的とする。
【課題を解決するための手段】
【００１３】
本発明の第１の特徴は、移動局が、無線基地局との間で、搬送波周波数が異なる複数の下りリンクキャリア及び複数の上りリンクキャリアを用いた通信を行う移動通信方法であって、前記移動局が、第１下りリンクキャリアにおける物理下りリンク制御チャネルを介して、該移動局に対して所定上りリンクキャリアにおける上りリンクデータ信号の送信を許可するスケジューリング信号を受信する工程Ａと、前記所定上りリンクキャリアの送信電力が、非アクティブ状態の第２下りリンクキャリアから推定されるパスロスに基づいて制御されている場合、該移動局が、前記スケジューリング信号を廃棄する工程Ｂとを有することを要旨とする。
【００１４】
本発明の第２の特徴は、無線基地局との間で、搬送波周波数が異なる複数の下りリンクキャリア及び複数の上りリンクキャリアを用いた通信を行うことができるように構成されている移動局であって、第１下りリンクキャリアにおける物理下りリンク制御チャネルを介して、前記移動局に対して所定上りリンクキャリアにおける上りリンクデータ信号の送信を許可するスケジューリング信号を受信するように構成されている受信部を具備し、前記所定上りリンクキャリアの送信電力が、非アクティブ状態の第２下りリンクキャリアから推定されるパスロスに基づいて制御されている場合、前記受信部は、前記スケジューリング信号を廃棄するように構成されていることを要旨とする。
【発明の効果】
【００１５】
以上説明したように、本発明によれば、ＣＡ通信における干渉を低減することができる移動通信方法及び移動局を提供することができる。
【図面の簡単な説明】
【００１６】
【図１】本発明の第１の実施形態に係る移動通信システムの全体構成図である。
【図２】本発明の第１の実施形態に係る移動局の機能ブロック図である。
【図３】本発明の第１の実施形態に係る移動通信システムにおける下りＣＣと上りＣＣとのマッピングについて説明するための図である。
【図４】本発明の第１の実施形態に係る移動通信システムで行われているＣＡ通信について説明するための図である。
【図５】本発明の第１の実施形態に係る移動通信システムで行われているＣＡ通信について説明するための図である。
【図６】本発明の第１の実施形態に係る移動局の動作を示すフローチャートである。
【図７】従来の移動通信システムについて説明するための図である。
【発明を実施するための形態】
【００１７】
（本発明の第１の実施形態に係る移動通信システム）
図１乃至図６を参照して、本発明の第１の実施形態に係る移動通信システムの構成について説明する。
【００１８】
本実施形態に係る移動通信システムは、ＬＴＥ-Ａｄｖａｎｃｅｄ方式の移動通信システムであって、本実施形態に係る移動通信システムにおいて、移動局ＵＥは、無線基地局ｅＮＢとの間で、搬送周波数の異なる複数のＣＣを用いてＣＡ通信を行うことができるように構成されている。
【００１９】
図１に示すように、本実施形態に係る移動通信システムでは、移動局ＵＥは、ＰＵＳＣＨ（Ｐｈｙｓｉｃａｌ  Ｕｐｌｉｎｋ  Ｓｈａｒｅｄ  Ｃｈａｎｎｅｌ、上りリンク共有チャネル）を介して、上りリンクデータ信号を送信し、ＰＵＣＣＨ（Ｐｈｙｓｉｃａｌ  Ｕｐｌｉｎｋ  Ｃｏｎｔｒｏｌ  Ｃｈａｎｎｅｌ、上りリンク制御チャネル）を介して、上りリンク制御信号を送信するように構成されている。
【００２０】
また、本実施形態に係る移動通信システムでは、無線基地局ｅＮＢは、ＰＤＳＣＨ（Ｐｈｙｓｉｃａｌ  Ｄｏｗｎｌｉｎｋ  Ｓｈａｒｅｄ  Ｃｈａｎｎｅｌ、下りリンク共有チャネル）を介して、下りリンクデータ信号を送信し、ＰＤＣＣＨ（Ｐｈｙｓｉｃａｌ  Ｄｏｗｎｌｉｎｋ  Ｃｏｎｔｒｏｌ  Ｃｈａｎｎｅｌ、下りリンク制御チャネル）を介して、下りリンク制御信号を送信するように構成されている。
【００２１】
また、本実施形態に係る移動通信システムでは、移動局ＵＥは、ＵＬ  ＣＣ＃１とＵＬ  ＣＣ＃２とＤＬ  ＣＣ＃１とＤＬ  ＣＣ＃２とを用いて、ＣＡ通信を行っているものとする。
【００２２】
図２に示すように、移動局ＵＥは、受信部１１と、送信部１２と、ＣＡ制御部１３とを具備している。
【００２３】
受信部１１は、ＰＤＳＣＨ及びＰＤＣＣＨを介して、無線基地局ｅＮＢから下りリンク信号を受信するように構成されている。
【００２４】
送信部１２は、ＰＵＳＣＨ及びＰＵＣＣＨを介して、無線基地局ｅＮＢに対して、上りリンク信号を送信するように構成されている。
【００２５】
ＣＡ制御部１３は、移動局ＵＥによるＣＡ通信に係る制御を行うように構成されている。
【００２６】
例えば、移動局ＵＥが、ＣＡ通信を行っている場合、ＣＡ制御部１２は、ＲＲＣレイヤにおいて、無線基地局ｅＮＢからの指示（具体的には、ＲＲＣメッセージ）に応じて、新規にＣＣを追加したり、既存のＣＣを削除したり、ＰＣＣ（Ｐｒｉｍａｒｙ  Ｃｏｍｐｏｎｅｎｔ  Ｃａｒｒｉｅｒ）を変更したりすることができるように構成されている。
【００２７】
また、移動局ＵＥが、ＣＡ通信を行っている場合、ＣＡ制御部１３は、ＭＡＣレイヤにおいて、無線基地局ｅＮＢからの指示（具体的には、「ＭＡＣ  Ｃｏｎｔｒｏｌ  Ｅｌｅｍｅｎｔ」）に応じて、ＣＡ通信で用いられている各ＣＣの状態（アクティブ状態又は非アクティブ状態）を設定するように構成されている。  
ここで、受信部１１が、無線基地局ｅＮＢから、特定のＤＬ  ＣＣにおけるＰＤＣＣＨを介して、移動局ＵＥに対して、特定のＵＬ  ＣＣにおける上りリンクデータ信号の送信を許可する「ＵＬ  ｇｒａｎｔ」を受信した場合、送信部１２は、かかる特定のＵＬ  ＣＣにおけるＰＵＳＣＨを介して、上りリンクデータ信号を送信するように構成されている。
【００２８】
図３の例では、無線基地局ｅＮＢが、ＳＩＢ（Ｓｙｓｔｅｍ  Ｉｎｆｏｒｍａｔｉｏｎ  Ｂｌｏｃｋ）２によって、ＵＬ  ＣＣ＃１とＤＬ  ＣＣ＃１とを対応付ける情報（ＳＩＢ２  Ｌｉｎｋｉｎｇ）及びＵＬ  ＣＣ＃２とＤＬ  ＣＣ＃２とを対応付ける情報（ＳＩＢ２  Ｌｉｎｋｉｎｇ）を通知している。
【００２９】
かかる場合、受信部１１が、無線基地局ｅＮＢから、ＤＬ  ＣＣ＃１/＃２におけるＰＤＣＣＨを介して、ＣＩＦ（Ｃａｒｒｉｅｒ  Ｉｎｄｉｃａｔｏｒ  Ｆｉｅｌｄ）が付随していない「ＵＬ  ｇｒａｎｔ」を受信した場合、送信部１２は、ＤＬ  ＣＣ＃１/＃２に対応するＵＬ  ＣＣ＃１/＃２におけるＰＵＳＣＨを介して、上りリンクデータ信号を送信するように構成されている。
【００３０】
一方、受信部１１が、無線基地局ｅＮＢから、ＤＬ  ＣＣ＃１/＃２におけるＰＤＣＣＨを介して、ＣＩＦが付随している「ＵＬ  ｇｒａｎｔ」を受信した場合、送信部１２は、ＣＩＦによって指示されているＵＬ  ＣＣ＃１/＃２におけるＰＵＳＣＨを介して、上りリンクデータ信号を送信するように構成されている。
【００３１】
また、図４に示すように、受信部１１は、無線基地局ｅＮＢから、ＤＬ  ＣＣ＃２におけるＰＤＣＣＨを介して、移動局ＵＥに対して、ＵＬ  ＣＣ＃１における上りリンクデータ信号の送信を許可する「ＵＬ  ｇｒａｎｔ」、すなわち、ＵＬ  ＣＣ＃１を指示するＣＩＦが付随している「ＵＬ  ｇｒａｎｔ」を受信した場合で、かつ、ＵＬ  ＣＣ＃１の送信電力が、非アクティブ状態のＤＬ  ＣＣ＃１から推定されるパスロスに基づいて制御されている場合、かかる「ＵＬ  ｇｒａｎｔ」を廃棄（すなわち、無視）するように構成されている。
【００３２】
さらに、図５に示すように、ＳＩＢ２  Ｌｉｎｋｉｎｇによって、ＤＬ  ＣＣ＃１とＵＬ  ＣＣ＃１とが対応付けられている場合、受信部１１は、無線基地局ｅＮＢから、ＤＬ  ＣＣ＃１にてＣＩＦが付随していない「ＵＬ  ｇｒａｎｔ」を受信した場合で、かつ、ＵＬ  ＣＣ＃１の送信電力が、非アクティブ状態のＤＬ  ＣＣ＃２から推定されるパスロスに基づいて制御されている場合、かかる「ＵＬ  ｇｒａｎｔ」を廃棄（すなわち、無視）するように構成されている。
【００３３】
なお、上記において、移動局ＵＥがＰＤＣＣＨを介して「ＵＬ  ｇｒａｎｔ」を受信するケースとして、無線基地局ｅＮＢが実際には当該移動局ＵＥにＰＤＣＣＨ（「ＵＬ  ｇｒａｎｔ」）を送信していないにも関わらず、移動局ＵＥがそれを誤検出してしまう場合も含まれる。
【００３４】
具体的には、ＰＤＣＣＨ（「ＵＬ  ｇｒａｎｔ」）にはＰＵＳＣＨを介した上りリンクデータ信号の送信を許可する移動局ＵＥ固有の識別子（Ｃ-ＲＮＴＩ）にてｍａｓｋｉｎｇされた誤り検出ビット列（ＣＲＣビット列）が付与され、移動局ＵＥは、受信したＰＤＣＣＨ（「ＵＬ  ｇｒａｎｔ」）の、自己に割当てられているＣ-ＲＮＴＩによってｕｎｍａｓｋｉｎｇした後のＣＲＣビット列による検査結果が「ＯＫ」と判定された場合に、ＰＤＣＣＨ（「ＵＬ  ｇｒａｎｔ」）が自分に割当てられていることを検出するが、この際、無線基地局ｅＮＢが、実際には移動局ＵＥにＰＤＣＣＨ（「ＵＬ  ｇｒａｎｔ」）を送信していないにも関わらず、当該移動局ＵＥが、ＰＤＣＣＨ（「ＵＬ  ｇｒａｎｔ」）でのＣＲＣビット列による検査結果を誤って「ＯＫ」と判定してしまケースをも含む。
【００３５】
以下、図６を参照して、本実施形態に係る移動通信システムにおける移動局ＵＥの動作について説明する。
【００３６】
図６に示すように、移動局ＵＥは、ステップＳ１０１において、特定のＵＬ  ＣＣにおける上りリンクデータ信号の送信を許可する「ＵＬ  ｇｒａｎｔ」を受信すると、ステップＳ１０２において、かかる特定のＵＬ  ＣＣの送信電力が、非アクティブ状態のＤＬ  ＣＣから推定されるパスロスに基づいて制御されているか否かについて判定する。
【００３７】
移動局ＵＥは、非アクティブ状態のＤＬ  ＣＣから推定されるパスロスに基づいて制御されていると判定した場合、ステップＳ１０３において、かかる「ＵＬ  ｇｒａｎｔ」を廃棄（又は、無視）する。
【００３８】
一方、移動局ＵＥは、アクティブ状態のＤＬ  ＣＣから推定されるパスロスに基づいて制御されていると判定した場合、ステップＳ１０３において、かかる「ＵＬ  ｇｒａｎｔ」に基づいて、ＰＵＳＣＨを介して、無線基地局ｅＮＢに対して、上りリンクデータ信号を送信する。
【００３９】
本実施形態に係る移動通信システムによれば、移動局ＵＥが、非アクティブ状態のＤＬ  ＣＣから推定されるパスロスに基づいて送信電力が制御されているＵＬ  ＣＣにおける上りリンクデータ信号の送信を停止することができるため、無駄な干渉を回避することができる。
【００４０】
以上に述べた本実施形態の特徴は、以下のように表現されていてもよい。
【００４１】
本実施形態の第１の特徴は、移動局ＵＥが、無線基地局ｅＮＢとの間で、搬送波周波数が異なる複数のＤＬ  ＣＣ（下りリンクキャリア）及び複数のＵＬ  ＣＣ（上りリンクキャリア）を用いたＣＡ通信を行う移動通信方法であって、移動局ＵＥが、ＤＬ  ＣＣ＃２（第１下りリンクキャリア）におけるＰＤＣＣＨ（物理下りリンク制御チャネル）を介して、移動局ＵＥに対してＵＬ  ＣＣ＃１（所定上りリンクキャリア）における上りリンクデータ信号の送信を許可する「ＵＬ  ｇｒａｎｔ（スケジューリング信号）」を受信する工程Ａと、ＵＬ  ＣＣ＃１の送信電力が、非アクティブ状態のＤＬ  ＣＣ＃１（第２下りリンクキャリア）から推定されるパスロスに基づいて制御されている場合、移動局ＵＥが、「ＵＬ  ｇｒａｎｔ」を廃棄する工程Ｂとを有することを要旨とする。
【００４２】
本実施形態の第１の特徴において、工程Ａにおいて、移動局ＵＥは、「ＵＬ  ｇｒａｎｔ」と共に、ＵＬ  ＣＣ＃１を指示するＣＩＦ（キャリア指示子）を受信してもよい。
【００４３】
本実施形態の第１の特徴において、無線基地局ｅＮＢは、移動局ＵＥに対して、報知情報（ＳＩＢ２）によって、ＵＬ  ＣＣ＃１とＤＬ  ＣＣ＃２とを対応付ける情報を通知する工程を有してもよい。
【００４４】
本実施形態の第２の特徴は、無線基地局ｅＮＢとの間で、搬送波周波数が異なる複数のＤＬ  ＣＣ及び複数のＵＬ  ＣＣを用いたＣＡ通信を行うことができるように構成されている移動局ＵＥであって、ＤＬ  ＣＣ＃２におけるＰＤＣＣＨを介して、移動局ＵＥに対してＵＬ  ＣＣ＃１における上りリンクデータ信号の送信を許可する「ＵＬ  ｇｒａｎｔ」を受信するように構成されている受信部１１を具備し、ＵＬ  ＣＣ＃１の送信電力が、非アクティブ状態のＤＬ  ＣＣ＃１から推定されるパスロスに基づいて制御されている場合、受信部１１は、「ＵＬ  ｇｒａｎｔ」を廃棄するように構成されていることを要旨とする。
【００４５】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００４６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００４８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００４９】
ｅＮＢ…無線基地局
ＵＥ…移動局
１１…受信部
１２…送信部
１３…ＣＡ制御部
【図１】
0005487169.tif 000002
【図２】
0005487169.tif 000003
【図３】
0005487169.tif 000004
【図４】
0005487169.tif 000005
【図５】
0005487169.tif 000006
【図６】
0005487169.tif 000007
【図７】
0005487169.tif 000008